(57)【要約】【課題】ボタン電池を収納する電池収納部を備えた電子収納装置である電子機器において、電池収納部に収納されているボタン電池が取り外す意思がないときには簡単に取り外せない構造にして、ボタン電池の不用意な紛失等を防止できる構造の電池収納部を提供する。【解決手段】筐体の一部に設け、ボタン電池を収納する電池収納部を備えた電池収納装置であって、電池収納部は、ボタン電池を収納する大きさに形成された電池搭載部と、電池搭載部の側壁面であって、ボタン電池の高さよりも高い位置から内側方向に舌状に突出形成したリブと、電池搭載部の奥位置に、ボタン電池の周縁を当てるための固定係止片と、電池搭載部の挿入口に通常は塞ぐように起立した状態で位置し、ボタン電池の裏面で挿入しながら押すことで弾性変形してボタン電池を電池搭載部に誘導し、電池搭載部に搭載されたボタン電池に対して、再度起立状態になったときの端部でボタン電池の外周縁を係止するストッパー部を備えた弾性係止片と、を備えたことである。【選択図】        図１
2004288424.tif 000002
【特許請求の範囲】
【請求項１】
ボタン電池を収納する電池搭載部と、この電池搭載部にボタン電池を収納するための挿入口に、前記電池搭載部から抜け出るボタン電池をストップさせるストッパー部を有する弾性係止片とを備え、
前記弾性係止片をボタン電池で押し下げて弾性変形させ、挿入口から当該ボタン電池を挿入させる第１のステップと、
前記第１のステップで押下げた弾性係止片の上部をボタン電池を摺動させて当該ボタン電池を前記電池搭載部に誘導する第２のステップと、
前記第２のステップにより、前記電池搭載部にボタン電池が誘導されたときに、弾性変形した弾性係止片が元の状態に復帰したときに前記ストッパー部で電池搭載部のボタン電池の周縁に当たるようにして抜けを防止する第３のステップと、
からなる電池収納方法。
【請求項２】
前記請求項１に記載の電池収納方法において、
更に、前記電池搭載部に誘導されたボタン電池に対して、前記弾性係止片を下方向に押してストッパー部をボタン電池の周縁から外した状態にして、前記ボタン電池を挿入口方向に摺動させて押出す第４のステップを有することを特徴とする電池収納方法。
【請求項３】
前記ボタン電池は、底部に第１の接点バネに接触して付勢した状態で、当該ボタン電池の外周縁の一部が前記電池搭載部の周縁から入り込んだ状態の第２の接点バネが接触して付勢した状態で保持されることを特徴とする請求項１に記載の電池収納方法。
【請求項４】
筐体の一部に設け、ボタン電池を収納する電池収納部を備えた電池収納装置であって、
前記電池収納部は、
前記ボタン電池を収納する大きさに形成された電池搭載部と、
前記電池搭載部の側壁面であって、前記ボタン電池の高さよりも高い位置から内側方向に舌状に突出形成したリブと、
前記電池搭載部の奥位置に、前記ボタン電池の周縁を当てるための固定係止片と、
前記電池搭載部の挿入口に通常は塞ぐように起立した状態で位置し、ボタン電池を挿入しながら押すことで弾性変形してボタン電池を前記電池搭載部に誘導し、電池搭載部に搭載されたボタン電池に対して、再度起立状態になったときの端部でボタン電池の外周縁を係止するストッパー部を備えた弾性係止片と、
を備えたことを特徴とする電池収納装置。
【請求項５】
前記ボタン電池は、底部に第１の接点バネに接触して付勢した状態で、当該ボタン電池の外周縁の一部に前記電池搭載部の周縁から入り込んだ状態の第２の接点バネが接触して付勢した状態で保持されることを特徴とする請求項４に記載の電池収納装置。
【請求項６】
筐体の一部に設け、ボタン電池を収納する電池収納部を備えた電池収納装置であって、
前記電池収納部は、
前記ボタン電池を収納する大きさに形成された電池搭載部と、
前記電池搭載部の側壁面であって、ボタン電池の高さよりも高い位置から内側対向する方向に舌状に突出形成した一対のリブと、
前記電池搭載部の奥位置に、前記ボタン電池の外周縁に当たるための所定間隔を持って突出形成された一対の固定係止片と、
前記電池搭載部の挿入口に通常は塞ぐように起立した状態で位置し、ボタン電池を挿入しながら押すことで弾性変形してボタン電池を前記電池搭載部に誘導し、電池搭載部に搭載されたボタン電池に対して、再度起立状態になったときの端部でボタン電池の周縁を係止するストッパー部を備えた弾性係止片と、
を備えたことを特徴とする電池収納装置。
【請求項７】
前記ボタン電池は、底部に第１の接点バネに接触して付勢した状態で、当該ボタン電池の外周縁の一部が前記電池搭載部の周縁から入り込んだ状態の第２の接点バネが接触して付勢した状態で保持されることを特徴とする請求項６に記載の電池収納装置。
【発明の詳細な説明】
【０００１】
【発明の属する技術分野】
本発明は、電池収納方法及び電池収納装置に関し、詳しくは電子機器に備えてある電池収納部に装着してあるボタン電池が簡単に取り外せない構造にした電池収納方法及び電池収納装置に関する。
【０００２】
【従来の技術】
従来技術における電池収納装置は、図８及び図９に示すように、電子機器１１１、例えばリモコン、カメラ等に備えられているものであり、ケースの端部に設けられ、電池ホルダー１１２を収納する電池収納部１１３と、ボタン電池１１４を搭載することができる電池ホルダー１１２とからなる。
【０００３】
電池ホルダー１１２は、図１０及び図１１に示すように、図において上部側にボタン電池１１４を収納し、下部側でケースに係合する機能を備えた構成になっており、上部側の位置に先端を欠落開口としたリング形状に形成した保持部１１５と、保持部１１５の内側であって、保持部１１５の面よりも陥没させ、その陥没させた面を平行に切り欠いて形成した電池載置部１１６と、保持部１１５の基部位置であって、一体成形した弾性片１１７を介して外方向に凸部１１８を備えた係合部１１９と、係合部１１９の横方向に略四辺形状に形成され、爪等を引っ掛ける凹部１２０を備えた把持部１２１とからなる。
【０００４】
このような構成からなる電池収納部１１３に電池ホルダー１１２を収納するには、図１１に示すように、電池ホルダー１１２の電池載置部１１６にボタン電池１１４を載せ、図８に示すようにボタン電池１１４を載せた状態の電池ホルダー１１２を電池収納部１１３に収納することで、係合部１１９の凸部１１８が電池収納部１１３の側壁面に設けてある溝１２２に嵌り込んで装着完了する。
【０００５】
電池ホルダー１１２を抜くときには、図９に示すように、係合部１１９を内側に動かして溝１２２に嵌り込んでいる凸部１１８を外した状態にして、凹部１２０に爪を引っ掛けて抜くことで電池収納部１１３から電池ホルダー１１２自体を抜くことができるのである。
【０００６】
【特許文献１】
特開平１１−１８５７２１号公報  （第４頁  第８図）
【０００７】
【発明が解決しようとする課題】
しかしながら、従来技術で説明した電池収納装置においては、電池ホルダーに搭載させているボタン電池が収納部に収納されているときには、上下、左右から抑えるようにしてガイドされているが、電池ホルダーを収納部から抜くと、電池ホルーダーに載置されているボタン電池は、単に載置部に載っているだけであるから、電池ホルダーを収納部から抜くと同時にフリーな状態になり、電池ホルダーから外れ、最悪な場合、紛失してしまうという問題がある。
【０００８】
従って、着脱自在な電池、例えば、ボタン電池について、電池収納部から簡単に取り外せる構造であっても、意識して取り外ししないと容易に取り外せない構造にすることに解決しなければならない課題を有する。
【０００９】
【課題を解決するための手段】
上記課題を解決するために、本発明に係る電池収納方法及び電池収納装置は、次に示す構成にすることである。
【００１０】
（１）電池収納方法は、ボタン電池を収納する電池搭載部と、この電池搭載部にボタン電池を収納するための挿入口に、前記電池搭載部から抜け出るボタン電池をストップさせるストッパー部を有する弾性係止片とを備え、前記弾性係止片をボタン電池で押し下げて弾性変形させ、挿入口から当該ボタン電池を挿入させる第１のステップと、前記第１のステップで押下げた弾性係止片の上部をボタン電池を摺動させて当該ボタン電池を前記電池搭載部に誘導する第２のステップと、前記第２のステップにより、前記電池搭載部にボタン電池が誘導されたときに、弾性変形した弾性係止片が元の状態に復帰したときに前記ストッパー部で電池搭載部のボタン電池の周縁に当たるようにして抜けを防止する第３のステップと、からなる。
（２）又、前記（１）に記載の電池収納方法において、更に、前記電池搭載部に誘導されたボタン電池に対して、前記弾性係止片を下方向に押してストッパー部をボタン電池の周縁から外した状態にして、前記ボタン電池を挿入口方向に摺動させて押出す第４のステップを有することである。
（３）前記ボタン電池は、底部に第１の接点バネに接触して付勢した状態で、当該ボタン電池の外周縁の一部が前記電池搭載部の周縁から入り込んだ状態の第２の接点バネが接触して付勢した状態で保持されることを特徴とする（１）に記載の電池収納方法。
【００１１】
（４）電池収納装置は、筐体の一部に設け、ボタン電池を収納する電池収納部を備えた電池収納装置であって、前記電池収納部は、前記ボタン電池を収納する大きさに形成された電池搭載部と、前記電池搭載部の側壁面であって、前記ボタン電池の高さよりも高い位置から内側方向に舌状に突出形成したリブと、前記電池搭載部の奥位置に、前記ボタン電池の周縁を当てるための固定係止片と、前記電池搭載部の挿入口に通常は塞ぐように起立した状態で位置し、ボタン電池を挿入しながら押すことで弾性変形してボタン電池を前記電池搭載部に誘導し、電池搭載部に搭載されたボタン電池に対して、再度起立状態になったときの端部でボタン電池の外周縁を係止するストッパー部を備えた弾性係止片と、を備えたことである。
（５）前記ボタン電池は、底部に第１の接点バネに接触して付勢した状態で、当該ボタン電池の外周縁の一部に前記電池搭載部の周縁から入り込んだ状態の第２の接点バネが接触して付勢した状態で保持されることを特徴とする（４）に記載の電池収納装置。
【００１２】
（６）電池収納装置は、筐体の一部に設け、ボタン電池を収納する電池収納部を備えた電池収納装置であって、前記電池収納部は、前記ボタン電池を収納する大きさに形成された電池搭載部と、前記電池搭載部の側壁面であって、ボタン電池の高さよりも高い位置から内側対向する方向に舌状に突出形成した一対のリブと、前記電池搭載部の奥位置に、前記ボタン電池の外周縁に当たるための所定間隔を持って突出形成された一対の固定係止片と、前記電池搭載部の挿入口に通常は塞ぐように起立した状態で位置し、ボタン電池を挿入しながら押すことで弾性変形してボタン電池を前記電池搭載部に誘導し、電池搭載部に搭載されたボタン電池に対して、再度起立状態になったときの端部でボタン電池の周縁を係止するストッパー部を備えた弾性係止片と、を備えたことである。
（７）前記ボタン電池は、底部に第１の接点バネに接触して付勢した状態で、当該ボタン電池の外周縁の一部が前記電池搭載部の周縁から入り込んだ状態の第２の接点バネが接触して付勢した状態で保持されることを特徴とする（６）に記載の電池収納装置。
【００１３】
このように、ボタン電池を取付けるときにワンアクションの操作を必要とし、取り外すときもワンアクションの操作が必要な構造にしたことで、外す気になれば簡単に外すことができるが、その気がないときには簡単に外れることがない構造にしたことで、例えば、誤ってボタン電池が不用意に外れることがなくなり、そのぶんボタン電池の管理を正しく行うことが可能になる。
【００１４】
【発明の実施の形態】
次に、本発明に係る電池収納方法及び電池収納装置の実施形態について、図面を参照して以下説明する。
【００１５】
本発明に係る電池収納方法を具現化できる電池収納装置は、例えば、電子機器であるリモコンにボタン電池を収納する電池収納部を備えた構成になっており、それは、図１に示すように、様々なスイッチ群を備えた上ケース１１と、スイッチ群のスイッチ動作をするラバー接点部材１２と、スイッチ動作をするための回路及び第１の接点バネ１３を有する接点部１４、第２の接点バネ１５を備えた基板１６と、下端位置に電池収納部１７を備えた下ケース１８と、電池収納部１７を被せる蓋部１９とから大略構成されている。このような構成において、下ケース１８に基板１６を載せ、その上にラバー接点部材１２を載せ、その上部から上ケース１１を被せることでリモコン等の電子機器が完成する。
【００１６】
電池収納部１７は、下ケース１８の下端部に一体成形したもので、図２、図３及び図４、図５及び図６に示すように、下ケース１８の下部側で略中央位置を奥方向に略長方形状に陥没させた状態で形成されており、底部を空洞に形成し且つ両辺にボタン電池２１の両側端を載置できる領域を有する電池搭載部２０と、この電池搭載部２０の一番奥側に所定の間隔を持って起立状態に立設されている一対の固定係止片２１ａ、２１ｂと、電池搭載部２０の両側側壁面であってボタン電池２１の高さ寸法よりも幾分高い位置に、内側対向する方向に舌状に突出形成した一対の上方向押えリブ２２ａ、２２ｂと、電池搭載部２０の挿入口に通常は塞ぐように起立した状態で位置し、ボタン電池２１の裏面で挿入しながら押すことで弾性変形してボタン電池２１を電池搭載部２０に誘導し、電池搭載部２０に搭載されたボタン電池２１に対して、再度起立状態になったときにその端部でボタン電池２１の外周縁に当てて係止するストッパー部２３を備えた弾性係止片２４とから大略構成されている。
【００１７】
そして、電池搭載部２０の空洞部分には、基板１６の接点部１４が臨む状態で配置されており、この接点部１４は、導電性部材を平行な２片を上方向に折り曲げて弾性力を付与させた状態の第１の接点バネ１３で形成されている。
又、電池搭載部２０の側面には、基板１６に取付けられている弾性力を有する導電性スプリング部材で形成された第２の接点バネ１５を設けた構成になっている。
このような第１及び第２の接点バネ１３、１５の関係は、ボタン電池２１に対して、底部に第１の接点バネ１３に接触して付勢した状態で、当該ボタン電池２１の外周縁の一部が電池搭載部２０の周縁から入り込んだ状態の第２の接点バネ１５が接触して付勢した状態でボタン電池２１を保持する。
【００１８】
弾性係止片２４は、上ケース１１の後端部から奥方向に僅かながら上方向に屈曲された状態で形成され、基部側に内側を空洞にした一対の板ばね部２５ａ、２５ｂと、この板ばね部２５ａ、２５ｂに連設され僅かながら上方向を向くように形成された電池支持部２６とからなる。そして、この電池支持部２６には、その先端部をボタン電池２１の外周縁に当たるストッパー部２３を備え、ストッパー部２３よりも少し奥方向の中央位置に指の一部に抵抗感を与える押圧凸部２７を備えた構造になっている。
【００１９】
このストッパー部２３を備えた弾性係止片２４において、そのストッパー部２３の位置と上方向押えリブ２２ａ、２２ｂとの間隔はボタン電池２１を斜めにして入る間隔に形成され、そのストッパー部２３の表面は、上方向押えリブ２２ａ、２２ｂの下面の高さよりも若干低い位置に形成されている。
【００２０】
このような構成の電池収納装置において、ボタン電池２１の収納及び収納したボタン電池２１を抜き出す動作について、図７（Ａ）〜（Ｃ）を参照して説明する。尚、第１及び第２の接点バネは省略されている。
【００２１】
先ず、ボタン電池２１を収納するためには、図７（Ａ）に示すように、ボタン電池２１を弾性係止片２４の上部から、上方向押えリブ２２ａ、２２ｂの底面方向に入れ、そのまま下方向に押す。そして、図７（Ｂ）に示すように、弾性係止片２４を下方向に押し下げた状態で、奥方向にボタン電池２１を＋押すことで、電池搭載部２０の上を摺動しながら、図７（Ｃ）に示すように、弾性係止片２４から外れた位置になり、一対の固定係止片２１ａ、２１ｂにボタン電池２１の外周縁が当たることで、収納は完了する。このとき、ボタン電池２１が弾性係止片２４の上部から外れることで弾性係止片２４が復帰し、ストッパー部２３がボタン電池２１の周縁に位置する。
【００２２】
ボタン電池２１は、電池搭載部２０上に位置し、弾性係止片２４のストッパー部２３と一対の固定係止片２１ａ、２１ｂとの間に隙間を持った状態で位置される。この時、上下方向においては、図示しない下部位置に配置されている基板１６の第１の接点バネ１３の付勢力により付勢され、上方向押えリブ２２ａ、２２ｂで係合されることで、安定した接点状態を維持することができる。
【００２３】
次に、ボタン電池を外す動作について、図７（Ｄ）及び図７（Ｅ）を参照して説明する。
【００２４】
電池収納部１７からボタン電池２１を外すときには、図７（Ｄ）に示すように、先ず、弾性係止片２４の押圧凸部２７（図２参照）を中心にして下部方向に押して板ばね部２５ａ、２５ｂが下方向に変形することで、電池支持部２６が下部方向に下がり、ストッパー部２３がボタン電池２１の周縁部分から外れた位置になる。
この状態で、図７（Ｅ）に示すように、電池支持部２６の上部位置を擦るようにしてボタン電池２１を抜き出すことで、電池搭載部２０からボタン電池２１を取り外すことができるのである。
【００２５】
【発明の効果】
以上、説明したように、本発明に係る電池収納装置は、電池収納部に下方向に押すことで開放となる弾性係止片を備えたことで、収納されたボタン電池は、電池収納部から意識的に外す行為を行わないと外れることがないから、不用意にボタン電池が電池収納部から外れることがなく、ボタン電池の維持管理を正確に行うことができるという効果がある。
【図面の簡単な説明】
【図１】本発明に係る電池収納部を備えた電池収納装置の裏側からみた分解斜視図である。
【図２】同、電池収納部を拡大して示した要部斜視図である。
【図３】同、電池収納部の要部平面図である。
【図４】同、図３におけるＡ−Ａ線断面図である。
【図５】同、電池収納部にボタン電池を収納した状態の平面図である。
【図６】同、図５におけるＢ−Ｂ線断面図である。
【図７】同、電池収納部にボタン電池を収納する動作及び抜き出す動作を示した断面図である。
【図８】従来技術におけるボタン電池を収納する電池収納部の構成を示した平面図である。
【図９】従来技術におけるボタン電池を抜き出すときの様子を示した平面図である。
【図１０】従来技術における電池ホルダーを示した平面図である。
【図１１】従来技術における電池ホルダーにボタン電池を搭載した様子を示した平面図である。
【符号の説明】
１１；上ケース、１２；ラバー接点部材、１３；第１の接点バネ、１４；接点部、１５；第２の接点バネ、１６；基板、１７；電池収納部、１８；下ケース、１９；蓋部、２０；電池搭載部、２１ａ；固定係止片、２１ｂ；固定係止片、２２ａ；上方向押えリブ、２２ｂ；上方向押えリブ、２３；ストッパー部、２４；弾性係止片、２５ａ；板ばね部、２５ｂ；板ばね部、２６；電池支持部、２７；押圧凸部。
【図１】
2004288424.tif 000003
【図２】
2004288424.tif 000004
【図３】
2004288424.tif 000005
【図４】
2004288424.tif 000006
【図５】
2004288424.tif 000007
【図６】
2004288424.tif 000008
【図７】
2004288424.tif 000009
【図８】
2004288424.tif 000010
【図９】
2004288424.tif 000011
【図１０】
2004288424.tif 000012
【図１１】
2004288424.tif 000013